(57)【要約】【課題】  モニタのブラックポイントの測定精度を高くする。【解決手段】  ディスプレイの画面上に、ソリッドブラック表示領域とグレー表示領域とを隣接し、且つ相互に相手方の表示領域に挟まれるように設定して（Ｓ１００，Ｓ１１０）、表示し（Ｓ１２０，Ｓ１３０）、更にグレー表示領域の明度を変化させて（Ｓ１７０〜Ｓ１９０）、ユーザが両表示領域の明度差を確認できた時点でマウス入力装置をクリック操作するのを検知して（Ｓ１４０，Ｓ１５０）、そのときの入力値からブラックポイントＢＰを決定し、それを記憶する（Ｓ２００，Ｓ２１０）。【選択図】  図３
2006048062.tif 000002
【特許請求の範囲】
【請求項１】
モニタ上に、明度に差がある第１グレー表示領域と第２グレー表示領域とを隣接して設けて、前記第１グレー表示領域と前記第２グレー表示領域との明度を明度の差を維持または小さくしつつ明から暗へ、あるいは明度の差を維持または大きくしつつ暗から明へ変化させることにより、モニタの観察者にブラックポイントを検出させることを特徴とするモニタキャリブレーション方法。
【請求項２】
前記第１グレー表示領域の少なくとも一部および前記第２グレー表示領域の少なくとも一部が、相互に相手方の表示領域に挟まれた状態に設定されていることを特徴とする請求項１記載のモニタキャリブレーション方法。
【請求項３】
前記第１グレー表示領域および前記第２グレー表示領域が、縞状に交互に配置されていることを特徴とする請求項１または２記載のモニタキャリブレーション方法。
【請求項４】
前記縞状に交互に配置されている前記第１グレー表示領域および前記第２グレー表示領域の幅が、１／７２〜１／４インチであることを特徴とする請求項３記載のモニタキャリブレーション方法。
【請求項５】
前記縞状に交互に配置されている前記第１グレー表示領域および前記第２グレー表示領域の幅が、１／３６〜１／８インチであることを特徴とする請求項３記載のモニタキャリブレーション方法。
【請求項６】
前記第１グレー表示領域および前記第２グレー表示領域の内の一方の表示領域が、他方の表示領域に囲まれた状態に設定されていることを特徴とする請求項１記載のモニタキャリブレーション方法。
【請求項７】
前記一方の表示領域が、所定の図形をなしていることを特徴とする請求項６記載のモニタキャリブレーション方法。
【請求項８】
前記所定の図形をなしている前記ソリッドブラック表示領域と前記グレー表示領域とが、１／７２〜１／４インチの幅をなす部分を有することを特徴とする請求項７記載のモニタキャリブレーション方法。
【請求項９】
前記所定の図形をなしている前記ソリッドブラック表示領域と前記グレー表示領域とが、１／３６〜１／８インチの幅をなす部分を有することを特徴とする請求項７記載のモニタキャリブレーション方法。
【請求項１０】
前記第１グレー表示領域と前記第２グレー表示領域との明度を明度の差を維持または小さくしつつ明から暗へ、あるいは明度の差を維持または大きくしつつ暗から明へ変化させる際に、周期的に、前記第１グレー表示領域と前記第２グレー表示領域との明度関係が相互に入れ替わることを特徴とする請求項１〜９のいずれか記載のモニタキャリブレーション方法。
【請求項１１】
前記第１グレー表示領域と前記第２グレー表示領域との明度を明度の差を維持または小さくしつつ明から暗へ、あるいは明度の差を維持または大きくしつつ暗から明へ変化させる際に、周期的に、前記第２グレー表示領域に前記第１グレー表示領域と同じ明度の表示が行われることを特徴とする請求項１〜９のいずれか記載のモニタキャリブレーション方法。
【請求項１２】
モニタ上になされる表示に基づいて、モニタの観察者にブラックポイントを検出させるモニタキャリブレーション装置であって、
前記モニタの画面上に、第１グレー表示領域と第２グレー表示領域とを隣接して設定する表示領域設定手段と、
前記表示領域設定手段にて設定された前記第１グレー表示領域に表示出力を行う第１グレー表示領域制御手段と、
前記表示領域設定手段にて設定された前記第２グレー表示領域に前記第１グレー表示領域制御手段の表示出力とは差のある表示出力を行う第２グレー表示領域制御手段と、
前記第１グレー表示領域制御手段の表示出力と前記第２グレー表示領域制御手段の表示出力とを、表示出力の差を維持または小さくしつつ明から暗へ、あるいは表示出力の差を維持または大きくしつつ暗から明へ変化するように制御する表示出力制御手段と、
を備えたことを特徴とするモニタキャリブレーション装置。
【請求項１３】
前記表示領域設定手段が、前記モニタの画面上に、前記第１グレー表示領域の少なくとも一部および前記第２グレー表示領域の少なくとも一部を、相互に相手方の表示領域に挟まれた状態に設定することを特徴とする請求項１２記載のモニタキャリブレーション装置。
【請求項１４】
前記表示領域設定手段が、前記モニタの画面上に、前記第１グレー表示領域および前記第２グレー表示領域を縞状に交互に設定することを特徴とする請求項１２または１３記載のモニタキャリブレーション装置。
【請求項１５】
前記縞状に交互に配置されている前記第１グレー表示領域および前記第２グレー表示領域の幅が、１／７２〜１／４インチであることを特徴とする請求項１４記載のモニタキャリブレーション装置。
【請求項１６】
前記縞状に交互に配置されている前記第１グレー表示領域および前記第２グレー表示領域の幅が、１／３６〜１／８インチであることを特徴とする請求項１４記載のモニタキャリブレーション装置。
【請求項１７】
前記表示領域設定手段が、前記モニタの画面上に、前記第１グレー表示領域および前記第２グレー表示領域の内の一方の表示領域を、他方の表示領域に囲まれた状態に設定することを特徴とする請求項１２記載のモニタキャリブレーション装置。
【請求項１８】
前記一方の表示領域が、所定の図形をなしていることを特徴とする請求項１７記載のモニタキャリブレーション装置。
【請求項１９】
前記所定の図形をなしている前記ソリッドブラック表示領域と前記グレー表示領域とが、１／７２〜１／４インチの幅をなす部分を有することを特徴とする請求項１８記載のモニタキャリブレーション装置。
【請求項２０】
前記所定の図形をなしている前記ソリッドブラック表示領域と前記グレー表示領域とが、１／３６〜１／８インチの幅をなす部分を有することを特徴とする請求項１８記載のモニタキャリブレーション装置。
【請求項２１】
前記表示出力制御手段が、前記第１グレー表示領域制御手段の表示出力と前記第２グレー表示領域制御手段の表示出力とを、表示出力の差を維持または小さくしつつ明から暗へ、あるいは表示出力の差を維持または大きくしつつ暗から明へ変化させる際に、周期的に、前記第１グレー表示領域制御手段の表示出力と前記第２グレー表示領域制御手段の表示出力とを入れ替えることを特徴とする請求項１２〜２０記載のモニタキャリブレーション装置。
【請求項２２】
前記第１グレー表示領域と前記第２グレー表示領域との明度を明度の差を維持または小さくしつつ明から暗へ、あるいは明度の差を維持または大きくしつつ暗から明へ変化させる際に、周期的に、前記第２グレー表示領域に前記第１グレー表示領域と同じ明度の表示が行われることを特徴とする請求項１２〜２０のいずれか記載のモニタキャリブレーション装置。
【発明の詳細な説明】
【技術分野】
【０００１】
本発明は、モニタ上になされる表示に基づいて、モニタの観察者にブラックポイントを検出させるモニタキャリブレーション方法、モニタキャリブレーション装置およびモニタキャリブレーション方法を実施するためのプログラムが記載された記憶媒体に関する。
【背景技術】
【０００２】
一般に、ＣＲＴディスプレイ等のモニタは、入力値と明度との間に、図１２に示す様な非線形の表示特性を有し、ある入力値ＢＰから低い入力値では人間の視覚にて明度が０となる。この入力値ＢＰはブラックポイントと呼ばれる。
【０００３】
このブラックポイントＢＰは、モニタ自体のブライトネス等の調整機能によって変えることができ、また、モニタの経年変化によっても変動し、人によっても多少のずれが生じる。このためブラックポイントＢＰを求めることにより、入力値とモニタに表示されている画像との関係が判明するので、この関係に基づいて、モニタに表示されている画像と同じ色調の画像を他のデバイス、例えばカラープリンタ等にて再現することは可能である。
【０００４】
従来、このブラックポイントＢＰの検出手法として、図１３に示す様に、例えばＲＧＢ入力値＝０を与えたソリッドブラック表示領域Ｂｋと、ＲＧＢ入力値＞０の可変入力値を与えたグレー表示領域Ｇｙとをモニタ上に隣接して表示し、グレー表示領域Ｇｙに対するＲＧＢ入力値を増減して、ソリッドブラック表示領域Ｂｋとグレー表示領域Ｇｙとが区別できない最大のＲＢＧ入力値を求め、その入力値をブラックポイントＢＰとして決定する方法（ＵＳＰ５，２９８，９９３）が提案されている。
【発明の開示】
【発明が解決しようとする課題】
【０００５】
しかし、図１３に示す表示によるブラックポイントＢＰの決定は、測定にばらつきが大きく、精度の高い測定としては、不十分であった。そこで、本発明は、ブラックポイントＢＰを精度高く測定するモニタキャリブレーション方法、モニタキャリブレーション装置および記憶媒体を提供することを目的とする。
【課題を解決するための手段】
【０００６】
本発明は、１つまたはそれ以上存在し、以下に述べるような特徴および効果を有する。本発明のモニタキャリブレーション方法は、モニタ上に、ソリッドブラック表示領域とグレー表示領域とを隣接して設けて、グレー表示領域の明度を明から暗へ、あるいは暗から明へ変化させることにより、モニタの観察者にブラックポイントを検出させるモニタキャリブレーション方法であって、ソリッドブラック表示領域の少なくとも一部およびグレー表示領域の少なくとも一部が、相互に相手方の表示領域に挟まれた状態に設定されていることを特徴とする。ここで、ソリッドブラック表示領域とは、入力値＝０である表示を意味するソリッドブラックのみが表示されている領域を言い、グレー表示領域とは、入力値≧０の表示がなされる領域を言う。グレー表示領域には入力値＝０を含めなくても良い。
【０００７】
従来の技術として説明した図１３では、グレー表示領域Ｇｙは、ソリッドブラック表示領域Ｂｋに挟まれているが、ソリッドブラック表示領域Ｂｋについては挟まれていない。本願発明では、ソリッドブラック表示領域の少なくとも一部およびグレー表示領域の少なくとも一部が、相互に相手方の表示領域に挟まれている。すなわち、ソリッドブラック表示領域もグレー表示領域も共に相手方の表示領域に挟まれている部分が存在することになる。このため、おそらく、グレー表示領域に両側から挟まれたソリッドブラック表示領域における明度の差の現れ方と、ソリッドブラック表示領域に両側から挟まれたグレー表示領域における明度の差の現れ方とが異なり、両方を見ることにより、視覚的にソリッドブラック表示領域とグレー表示領域との微妙な差が目立ち易くなるため、精度高くブラックポイントが検出できるものと考えられる。
【０００８】
このように、ソリッドブラック表示領域の少なくとも一部およびグレー表示領域の少なくとも一部が、相互に相手方の表示領域に挟まれている表示状態としては、例えば、ソリッドブラック表示領域およびグレー表示領域が縞状に交互に配置されている表示状態を挙げることができる。特に、このような縞状の表示状態の内でも、ソリッドブラック表示領域およびグレー表示領域の幅が、１／７２〜１／４インチであること、この内でも特に、１／３６〜１／８インチであることが、精度の高いブラックポイントＢＰを求める上で好ましい。
【０００９】
また、本発明のモニタキャリブレーション方法は、モニタ上に、ソリッドブラック表示領域とグレー表示領域とを隣接して設けて、グレー表示領域の明度を明から暗へ、あるいは暗から明へ変化させることにより、モニタの観察者にブラックポイントを検出させるモニタキャリブレーション方法であって、ソリッドブラック表示領域およびグレー表示領域の内の一方の表示領域が、他方の表示領域に囲まれた状態に設定されることを特徴とする。
【００１０】
従来の技術として説明した図１３では、グレー表示領域Ｇｙもソリッドブラック表示領域Ｂｋもいずれも、相手方の表示領域に囲まれていない。本願発明では、ソリッドブラック表示領域あるいはグレー表示領域が、相手方の表示領域に囲まれている。このため、おそらく、左右（あるいは上下）のみで他の表示領域と接しているのではなく、左右および上下、更に斜め方向も他の表示領域と接しているため、視覚的にソリッドブラック表示領域とグレー表示領域との微妙な差が目立ち易くなるため、精度の高いブラックポイントＢＰの検出ができるものと考えられる。
【００１１】
なお、相手方の表示領域に囲まれている前記一方の領域は、所定の図形をなしていても良い。例えば星形やキャラクタ等である。また、所定の図形は、１／７２〜１／４インチの幅の部分を有するもの、この内でも、特に１／３６〜１／８インチをの幅の部分を有するものが精度の高いブラックポイントＢＰを求める上で好ましい。またこのような幅の部分が多ければ多いほど、一層精度の高いブラックポイントＢＰを求める上で好ましい。
【００１２】
上述したモニタキャリブレーション方法に対して、更に次のような処理を加えても良い。すなわち、グレー表示領域の明度を明から暗へ、あるいは暗から明へ変化させる際に、周期的に、ソリッドブラック表示領域とグレー表示領域との明度関係が入れ替わるようにする処理である。
【００１３】
このことにより、ソリッドブラック表示領域とグレー表示領域との境界が常に強調されるので、ソリッドブラック表示領域とグレー表示領域との差が判り易くなり、精度の高いブラックポイントＢＰの検出が可能となる。これ以外に、グレー表示領域の明度を明から暗へ、あるいは暗から明へ変化させる際に、周期的に、グレー表示領域に、ソリッドブラックの表示が行われる処理を行っても良い。すなわち、グレー表示領域がソリッドブラックとグレーとの間で入れ替りながら、グレーの明度が変化するので、ソリッドブラック表示領域とグレー表示領域との境界が常に強調され、ソリッドブラック表示領域とグレー表示領域との差が判り易くなり、精度の高いブラックポイントＢＰの検出が可能となる。
【００１４】
また、本発明のモニタキャリブレーション方法は、モニタ上に、明度に差がある第１グレー表示領域と第２グレー表示領域とを隣接して設けて、第１グレー表示領域と第２グレー表示領域との明度を、明度の差を維持または小さくしつつ明から暗へ、あるいは明度の差を維持または大きくしつつ暗から明へ変化させることにより、モニタの観察者にブラックポイントを検出させることを特徴とする。
【００１５】
すなわち、ソリッドブラック表示領域を用いずに、明度の異なるグレー表示領域のみを用いて、両者の明度の差を維持または小さくしつつ明から暗に明度を低下させたり、あるいは両者の明度の差を維持または大きくしつつ暗から明に明度を上昇させたりすることによっても、ブラックポイントＢＰを求めることができる。
【００１６】
このグレー表示領域のみを用いたブラックポイントＢＰの検出は、第１グレー表示領域と第２グレー表示領域とが共に、その明度を変化させつつ、ブラックポイントＢＰの検出を行っているので、おそらく、全体の明度が動的に変化することにより、実際の画像表示に用いられるブラックポイントＢＰとして適切な値が得られ、一層、精度の高いブラックポイントＢＰの検出が可能となると考えられる。
【００１７】
この場合も、前述したごとく、第１グレー表示領域の少なくとも一部および第２グレー表示領域の少なくとも一部が、相互に相手方の表示領域に挟まれた状態に設定されていることが一層精度の高いブラックポイントＢＰの検出上、好ましい。また、第１グレー表示領域および第２グレー表示領域は、縞状に交互に配置されていても良い。更に、縞状に交互に配置されている第１グレー表示領域および第２グレー表示領域の幅は、１／７２〜１／４インチであること、特に、１／３６〜１／８インチであることが精度の高いブラックポイントＢＰの検出上、好ましい。
【００１８】
また、前述したごとく、第１グレー表示領域および第２グレー表示領域の内の一方の表示領域が、他方の表示領域に囲まれた状態に設定されていても良いし、この一方の表示領域が、所定の図形をなしていても良い。更に、前述したごとく、第１グレー表示領域と第２グレー表示領域との明度を、明度の差を維持または小さくしつつ明から暗へ、あるいは明度の差を維持または大きくしつつ暗から明へ変化させる際に、周期的に、前記第１グレー表示領域と前記第２グレー表示領域との明度関係が相互に入れ替わるようにしても良い。
【００１９】
更に、前述したごとくグレー表示領域に周期的にソリッドブラックを表示した場合と同様に、第２グレー表示領域に周期的に第１グレー表示領域と同じ明度の表示を行うようにしても良い。なお、上述した発明をコンピュータシステムのモニタ上にて実現する場合は、これらのモニタキャリブレーション方法は、コンピュータシステムにて実行するプログラムとして記憶された記憶媒体にて提供することができる。
【００２０】
上述のモニタキャリブレーション方法をモニタキャリブレーション装置として実現するには、例えば次のように構成する。すなわち、モニタ上に、ソリッドブラック表示領域とグレー表示領域とを隣接して設けて、前記グレー表示領域の明度を明から暗へ、あるいは暗から明へ変化させることにより、モニタの観察者にブラックポイントを検出させるモニタキャリブレーション装置であって、前記モニタの画面上に、ソリッドブラック表示領域の少なくとも一部およびグレー表示領域の少なくとも一部を、相互に相手方の表示領域に挟まれた状態に設定する表示領域設定手段と、前記表示領域設定手段にて設定された前記ソリッドブラック表示領域には、明度として最低の表示出力を行うソリッドブラック表示領域制御手段と、前記表示領域設定手段にて設定された前記グレー表示領域には、明度を明から暗へ、あるいは暗から明へ変化させる表示出力を行うグレー表示領域制御手段とを備えたことを特徴とするモニタキャリブレーション装置である。
【００２１】
前記表示領域設定手段にて設定される前記ソリッドブラック表示領域および前記グレー表示領域は、縞状に交互に配置されている構成でも良い。縞状に交互に配置されている前記ソリッドブラック表示領域および前記グレー表示領域の幅は、好ましくは、１／７２〜１／４インチであり、更に好ましくは、１／３６〜１／８インチである。
【００２２】
また、モニタ上に、ソリッドブラック表示領域とグレー表示領域とを隣接して設けて、前記グレー表示領域の明度を明から暗へ、あるいは暗から明へ変化させることにより、モニタの観察者にブラックポイントを検出させるモニタキャリブレーション装置であって、前記モニタの画面上に、ソリッドブラック表示領域およびグレー表示領域の内の一方の領域を、他方の領域に囲まれた状態に設定する表示領域設定手段と、前記表示領域設定手段にて設定された前記ソリッドブラック表示領域には、明度として最低の表示出力を行うソリッドブラック表示領域制御手段と、前記表示領域設定手段にて設定された前記グレー表示領域には、明度を明から暗へ、あるいは暗から明へ変化させる表示出力を行うグレー表示領域制御手段とを備えることを特徴とするモニタキャリブレーション装置である。前記一方の領域は、所定の図形をなしていても良い。
【００２３】
また、所定の図形は、１／７２〜１／４インチの幅の部分を有するもの、この内でも、特に１／３６〜１／８インチをの幅の部分を有するものが精度の高いブラックポイントＢＰを求める上で好ましい。またこのような幅の部分が多ければ多いほど、一層精度の高いブラックポイントＢＰを求める上で好ましい。
【００２４】
また、上述したモニタキャリブレーション装置に対して、更に、周期的に、ソリッドブラック表示領域制御手段が、グレー表示領域制御手段における表示出力と同じ表示出力を前記ソリッドブラック表示領域へ行うと同時に、グレー表示領域制御手段が、グレー表示領域に明度として最低の表示出力を行うことにより、ソリッドブラック表示領域とグレー表示領域との明度関係を入れ替えつつ、グレー表示領域の明度を明から暗へ、あるいは暗から明へ変化させても良い。
【００２５】
また、周期的に、グレー表示領域制御手段が、グレー表示領域に明度として最低の表示出力を行うことにより、グレー表示領域に、ソリッドブラックの表示を周期的に繰り替えす構成としても良い。また、モニタ上になされる表示に基づいて、モニタの観察者にブラックポイントを検出させるモニタキャリブレーション装置であって、前記モニタの画面上に、第１グレー表示領域と第２グレー表示領域とを隣接して設定する表示領域設定手段と、前記表示領域設定手段にて設定された前記第１グレー表示領域に表示出力を行う第１グレー表示領域制御手段と、前記表示領域設定手段にて設定された前記第２グレー表示領域に前記第１グレー表示領域制御手段の表示出力とは差のある表示出力を行う第２グレー表示領域制御手段と、前記第１グレー表示領域制御手段の表示出力と前記第２グレー表示領域制御手段の表示出力とを、表示出力の差を維持または小さくしつつ明から暗へ、あるいは表示出力の差を維持または大きくしつつ暗から明へ変化するように制御する表示出力制御手段とを備えたことを特徴とするモニタキャリブレーション装置である。
【００２６】
前記表示領域設定手段は、モニタの画面上に、第１グレー表示領域の少なくとも一部および第２グレー表示領域の少なくとも一部を、相互に相手方の表示領域に挟まれた状態に設定しても良い。前記表示領域設定手段は、モニタの画面上に、第１グレー表示領域および第２グレー表示領域を縞状に交互に設定しても良い。これら第１グレー表示領域および第２グレー表示領域の幅は、好ましくは、１／７２〜１／４インチであり、更に好ましくは、１／３６〜１／８インチである。
【００２７】
また、前記表示領域設定手段は、モニタの画面上に、第１グレー表示領域および第２グレー表示領域の内の一方の領域を、他方の領域に囲まれた状態に設定しても良い。この場合、前記一方の領域が、所定の図形をなしていても良い。前記表示出力制御手段が、第１グレー表示領域制御手段の表示出力と第２グレー表示領域制御手段の表示出力とを、表示出力の差を維持または小さくしつつ明から暗へ、あるいは表示出力の差を維持または大きくしつつ暗から明へ変化させる際に、周期的に、第１グレー表示領域制御手段の表示出力と第２グレー表示領域制御手段の表示出力とを入れ替えるように構成されていても良い。
【００２８】
また、第２グレー表示領域制御手段が、第２グレー表示領域に、周期的に第１グレー表示領域と同じ明度の表示を周期的に繰り返す構成としても良い。なお、本発明でのモニタの観察者は人に限定するものではなく、明度等を測定する測定器であっても良い。
【発明を実施するための最良の形態】
【００２９】
（第１実施形態）
図１は、本発明の実施の形態１としてのパソコン４とインクジェット型プリンタ２とを接続した状態を示している。図２はその概略ブロック図を示している。
【００３０】
プリンタ２とパソコン４とは、所定の規格、ここでは、ＩＥＥＥ１２８４の規格に準拠したパラレルインターフェース６，８を採用しており、そのインターフェース接続用のＩＥＥＥ１２８４用ケーブル１０にて接続されている。プリンタ２は、パラレルインターフェース６の他に、プログラムにしたがって種々の制御を実行するＣＰＵ１２、種々の制御プログラムが格納されたＲＯＭ１４、ＣＰＵ１２による演算の作業領域や演算結果や各種設定状態を格納するＲＡＭ１６、給紙センサ、排紙センサおよびインク残量センサ、その他のセンサ類１８、プリンタ２のメカニカルな部分を駆動するためのメインモータなどのエンジン２０、およびプリンタ２に簡単な指示を押しボタン式スイッチ２２ａにて与えたり、所定の状態を設定するための指示操作や状態をＬＥＤランプ２２ｂで表示する操作部２２を備えている。またプリンタ２の本体２ａの側面には電源スイッチ３が設けられている。
【００３１】
一方、パソコン４は、パラレルインターフェース８の他に、プログラムにしたがって種々の制御を実行するＣＰＵ２４、種々の制御プログラムが格納されたＲＯＭ２６、補助記憶装置３０内の補助記憶媒体から読み込まれたＯＳ、アプリケーションソフトあるいはデバイスドライバといったプログラム、データあるいはＣＰＵ２４による演算結果や各種設定状態を格納するＲＡＭ２８、フロッピーディスク、光磁気ディスクあるいはＣＤ−ＲＯＭ等を補助用の記憶媒体として外部からプログラムやデータを取り入れる補助記憶装置３０、演算結果、メニューあるいは印刷時のプリンタ２側のステータス等の表示を行うモニタとしてのディスプレイ３２、ユーザからの入力を受けるキーボード３４、およびマウスインターフェース３６を介してディスプレイ３２上に表示されているマウスカーソルを移動させ、かつ指示を入力するためのマウス入力装置３８から構成されている。
【００３２】
プリンタ２は、本体２ａの後部上方に給紙部２ｂが設けられ、印刷時には給紙部２ｂ内部の記録用紙が一枚ずつプリンタ２内部の印刷部に送られて記録ヘッドからのインク噴射により画像が記録用紙上に形成された後、排紙トレー２ｃ上に排出される。
【００３３】
また、パソコン４は、補助記憶装置３０から読み込まれて、プログラムとして起動しているプリンタドライバにより、プリンタ２との間で、ＩＥＥＥ１２８４用ケーブル１０のコントロールラインを介して、シェイクハンド処理のためにストローブ信号やアクノリッジ信号といったハンドシェイク信号を相互に交換しつつ、パソコン４からはＩＥＥＥ１２８４用ケーブル１０のデータラインを介してデータおよびコマンドの伝送がなされ、その結果に応じて、プリンタ２は印刷処理を行ったり、プリンタ２がバイトモードを実行できる場合はステータスデータをパソコン４側に送信する。パソコン４側では、印刷時のプリンタ２のステータスデータが得られれば、その状態をディスプレイ３２のステータスモニター表示部３２ａに表示する。
【００３４】
また、プリンタードライバは、パソコン４の操作者の指示により、ディスプレイ３２にモニタキャリブレーション用の表示を出力させるための機能をプログラムの一部として備えている。このモニタキャリブレーション処理により、ブラックポイントＢＰが判明すると、そのブラックポイントＢＰに基づいて、プリンタ２への出力データを補正して、プリンタ２から排出された記録用紙上に形成された画像が、ディスプレイ３２に表示されている画像に近い色調になるようにすることができる。
【００３５】
図３に、モニタキャリブレーション処理のフローチャートを示す。なお、このモニタキャリブレーション処理は、補助記憶装置３０にセットされたフロッピーディスク、光磁気ディスク、ＣＤ−ＲＯＭ等に記載されているプリンタドライバの一部にモニタキャリブレーション処理用プログラムとして含まれており、プリンタドライバをＲＡＭ２８にロードし実行すると、その機能の一つとして、ユーザにより選択実行されるものである。
【００３６】
本モニタキャリブレーション処理が開始されると、まず、ディスプレイ３２の画面に対する表示領域が設定される（Ｓ１００）。表示領域としては、図４（ａ）に示すごとく、ソリッドブラック表示領域５２とグレー表示領域５４とを縞状に交互に配置している設定である。ここで、ソリッドブラック表示領域５２およびグレー表示領域５４の幅は同一であり、１／３６〜１／８インチに設定されている。
【００３７】
次に、ソリッドブラック表示領域５２の入力値を表す変数Ｘｓｂと、グレー表示領域５４の入力値を表す変数Ｘｇｙに０を設定し（Ｓ１１０）、ソリッドブラック表示領域５２の各ピクセルに対してＲ＝Ｇ＝Ｂ＝Ｘｓｂを入力値としてディスプレイ３２に表示させ（Ｓ１２０）、グレー表示領域５４の各ピクセルに対してＲ＝Ｇ＝Ｂ＝Ｘｇｙを入力値としてディスプレイ３２に表示させる（Ｓ１３０）。このことにより、図４（ａ）では、最初は、ソリッドブラック表示領域５２もグレー表示領域５４も、図１２に示す原点位置（入力値＝０）の状態、すなわちソリッドブラックであり、全体が真っ黒の表示のみとなる。なお、本実施の形態においては、入力値の取り得る範囲は、０〜２５５である。
【００３８】
次に、マウス入力装置３８の操作状態を読み込み（Ｓ１４０）、ユーザにより「ＯＫ」を意味するマウス入力装置３８のクリック操作がなされたか否かを判定する（Ｓ１５０）。ユーザにより「ＯＫ」のクリック動作がなされていない場合は（Ｓ１５０で「ＮＯ」）、次に、Ｘｇｙを、予め設定されている所定量α分増加させる（Ｓ１７０）。なお、αはここではプラスであるが、Ｘｇｙ（＞０）を０に向けて減少させる場合には、αにはマイナスの値が設定される。
【００３９】
次にＸｇｙ＞１２８か否かが判定されて（Ｓ１８０）、Ｘｇｙ＞１２８でなければ（Ｓ１８０で「ＮＯ」）、再度、グレー表示領域５４を入力値Ｘｇｙにて発光表示させる（Ｓ１２０）。このときの表示は、前の表示の時よりも入力値Ｘｇｙがα分増加している。なお、Ｘｇｙ＞１２８である場合は（Ｓ１８０で「ＹＥＳ」）、Ｘｇｙに１２８が設定される（Ｓ１９０）。このことにより、Ｘｇｙは１２８が最大値となるようにガードがかけられている。また、ステップＳ１３０に戻るループの周期は、ユーザが十分にソリッドブラック表示領域５２とグレー表示領域５４との明度の差が確認できる時間に設定されている。
【００４０】
ステップＳ１４０で読み込まれるマウス入力装置３８のクリック動作は、ユーザがその視覚により、ソリッドブラック表示領域５２とグレー表示領域５４との間に明度の差を確認した場合に、なされるものである。したがって、クリック動作がなされない限り、ステップＳ１５０にて「ＮＯ」と判定されて次第にＸｇｙは大きくなる。このことにより、Ｘｇｙが図１２に示すブラックポイントＢＰを越えると、グレー表示領域５４の表示とソリッドブラック表示領域５２の表示とに明度の差がユーザにより確認される。
【００４１】
このとき、ユーザがマウス入力装置３８をクリックすると（Ｓ１５０で「ＹＥＳ」）、ブラックポイントＢＰの入力値として、「Ｘｇｙ−α」が設定され（Ｓ２００）、次にこのようにして検出されたブラックポイントＢＰは、ＲＡＭ２８あるいは補助記憶装置３０にセットされている記憶媒体に記憶される（Ｓ２１０）。こうしてモニタキャリブレーション処理が終了する。
【００４２】
本願実施の形態では、ソリッドブラック表示領域５２とグレー表示領域５４とが縞状に交互に配置されている。すなわち、ソリッドブラック表示領域５２もグレー表示領域５４も共に相手方の表示領域に挟まれている部分が存在することになる。このため、おそらく、グレー表示領域５４に両側から挟まれたソリッドブラック表示領域５２における明度の差の現れ方と、ソリッドブラック表示領域５２に両側から挟まれたグレー表示領域５４における明度の差の現れ方とが異なり、両方を見ることにより、視覚的にソリッドブラック表示領域５２とグレー表示領域５４との微妙な差が目立ち易くなるため、精度高くブラックポイントが検出できるものと考えられる。
【００４３】
特に、ソリッドブラック表示領域５２およびグレー表示領域５４が縞状に交互に配置され、しかも、それらの縞の幅が、１／３６〜１／８インチであることから、一層、精度の高いブラックポイントＢＰを求められる。なお、図４（ａ）のようなソリッドブラック表示領域５２およびグレー表示領域５４の設定以外に、図４（ｂ）あるいは図４（ｃ）のような設定でも良い。図４（ｂ）の場合は、グレー表示領域５４側の縞が短くて、グレー表示領域５４の縞がソリッドブラック表示領域５２に囲まれている状態となっている。図４（ｃ）の場合は、逆であり、ソリッドブラック表示領域５２側の縞が短くて、ソリッドブラック表示領域５２の縞がグレー表示領域５４に囲まれている状態となっている。これは左右（あるいは上下）のみで他の表示領域と接しているのではなく、左右および上下、更に斜め方向も他の表示領域と接しているため、視覚的にソリッドブラック表示領域５２とグレー表示領域５４との微妙な差が目立ち易くなるためであると考えられる。
【００４４】
本実施の形態１において、ステップＳ１００が表示領域設定手段としての処理に該当し、ステップＳ１１０，Ｓ１２０がソリッドブラック表示領域制御手段としての処理に該当し、ステップＳ１１０，Ｓ１３０がグレー表示領域制御手段としての処理に該当する。
【００４５】
（第２実施形態）
本実施の形態２は、実施の形態１とはモニタキャリブレーション処理のみが異なる。本実施の形態２のモニタキャリブレーション処理を図５に示す。図５に示す処理の内、ステップＳ１１０，Ｓ１５２，Ｓ１５４，Ｓ１５６，Ｓ１９２，Ｓ１９４の処理が実施の形態１とは異なる処理である。
【００４６】
まず、ステップＳ１００の後に、変数Ｘｓｂ，Ｘｇｙとともに変数Ｙに０が設定される（Ｓ１１０）。更に、ステップＳ１２０〜Ｓ１４０の処理の後、ステップＳ１５０で「ＮＯ」と判定されると（以下の説明ではステップＳ１５０はすべて「ＮＯ」と判定されるとしている。）、次に、前記変数Ｙが０か否かが判定される（Ｓ１５２）。最初はＹ＝０であるので（Ｓ１５２で「ＹＥＳ」）、次にステップＳ１７０，Ｓ１８０の処理がなされる（以下の説明では、Ｘｇｙ≦１２８場合として、ステップＳ１８０にてはすべて「ＮＯ」と判定されるものとする。）。次に、変数Ｙに変数Ｘｇｙの値が設定され（Ｓ１９２）、変数Ｘｇｙの値が０に設定される（Ｓ１９４）。
【００４７】
こうして、ステップＳ１３０に戻ると、Ｘｇｙ＝０であることから、入力値０でグレー表示領域５４の表示が行われる（Ｓ１３０）。ステップＳ１４０の次に、ステップＳ１５０で「ＮＯ」と判定されると、ステップＳ１５２にては、Ｙ＝α（＞０）であるので、「ＮＯ」と判定されて、次にＸｇｙにＹの値が設定され（Ｓ１５４）、Ｙに０が設定される（Ｓ１５６）。そして、ステップＳ１３０に戻る。
【００４８】
ステップＳ１３０では、Ｘｇｙ＝αにてグレー表示領域５４の表示がなされる。ステップＳ１４０の次に、ステップＳ１５０で「ＮＯ」と判定されると、ステップＳ１５２にては、Ｙ＝０であるので、「ＹＥＳ」と判定されて、次にＸｇｙの値がα分増加される（Ｓ１７０）。このときＸｇｙ＝２αとなる。次にステップＳ１８０にて「ＮＯ」と判定された後に、ＹにＸｇｙの値（２α）が設定され（Ｓ１９２）、Ｘｇｙに０が設定される（Ｓ１９４）。そして、ステップＳ１３０に戻る。
【００４９】
ステップＳ１３０ではＸｇｙ＝０（ソリッドブラック）にてグレー表示領域５４の表示がなされる。ステップＳ１４０の次に、ステップＳ１５０で「ＮＯ」と判定されると、ステップＳ１５２にては、Ｙ＝２α（＞０）であるので、「ＮＯ」と判定されて、次にＸｇｙにＹの値（２α）が設定され（Ｓ１５４）、Ｙに０が設定される（Ｓ１５６）。そして、ステップＳ１３０に戻る。
【００５０】
ステップＳ１３０では、Ｘｇｙ＝２αにてグレー表示領域５４の表示がなされる。ステップＳ１４０の次に、ステップＳ１５０で「ＮＯ」と判定されると、ステップＳ１５２にては、Ｙ＝０であるので、「ＹＥＳ」と判定されて、次にＸｇｙの値がα分増加される（Ｓ１７０）。このときＸｇｙ＝３αとなる。次にステップＳ１８０にて「ＮＯ」と判定された後に、ＹにＸｇｙの値（３α）が設定され（Ｓ１９２）、Ｘｇｙに０が設定される（Ｓ１９４）。そして、ステップＳ１３０に戻る。
【００５１】
ステップＳ１３０ではＸｇｙ＝０にてグレー表示領域５４の表示がなされる。以後、ユーザがクリック操作にて「ＯＫ」を出さない限り、あるいはＸｇｙが１２８を越えない限り、ステップＳ１３０でのグレー表示領域５４の表示用の入力値は、３α→０（ソリッドブラック）→４α→０→５α→０→６α→…と、ソリッドブラックの表示を周期的に出現しつつ、少しずつ、明度を暗から明に変化させるように入力値が上昇してゆく処理が行われる。
【００５２】
本実施の形態２は、このようにグレー表示領域５４がソリッドブラックとグレーとの間で入れ替りながら、グレーが変化するので、ソリッドブラック表示領域５２とグレー表示領域５４との境界が常に強調され、ソリッドブラック表示領域５２とグレー表示領域５４との差が判り易くなり、一層精度の高いブラックポイントＢＰの検出が可能となる。
【００５３】
本実施の形態２において、ステップＳ１００が表示領域設定手段としての処理に該当し、ステップＳ１１０，Ｓ１２０がソリッドブラック表示領域制御手段としての処理に該当し、ステップＳ１１０，Ｓ１３０，Ｓ１５２，Ｓ１５４，Ｓ１５６，Ｓ１７０，Ｓ１９２，Ｓ１９４がグレー表示領域制御手段としての処理に該当する。
【００５４】
（第３実施形態）
本実施の形態３は、実施の形態１とはモニタキャリブレーション処理のみが異なる。本実施の形態３のモニタキャリブレーション処理を図６に示す。図６に示す処理の内、ステップＳ１００，Ｓ１２０，Ｓ１３０，Ｓ１９６の処理が実施の形態１とは異なる処理であり、また、ステップＳ１９６からステップＳ１２０に処理が戻る点も異なる。
【００５５】
まず、ステップＳ１００では、図７（ａ）に示す表示領域の設定を行う。この表示領域は、ソリッドブラック表示領域５６に囲まれて所定の図形、ここでは、キャラクタ「ＯＫ」の形のグレー表示領域５８が形成されている。ステップＳ１００の次に、変数Ｘｓｂ，Ｘｇｙに０が設定される（Ｓ１１０）。更に、ステップＳ１２０でソリッドブラック表示領域５６に変数Ｘｓｂを入力値とする表示と、ステップＳ１３０にてグレー表示領域５８に変数Ｘｇｙを入力値とする表示とを行い、更にＳ１４０の処理の次にステップＳ１５０で「ＮＯ」と判定される。
【００５６】
更に、ステップＳ１７０，Ｓ１８０の後、表示領域使用入力値の入れ替えが行われる（Ｓ１９６）。この表示領域使用入力値の入れ替えとは、直前のステップＳ１２０でソリッドブラック表示領域５６に表示された入力値は変数Ｘｓｂの値であり、直前のステップＳ１３０でグレー表示領域５８に表示された入力値は変数Ｘｇｙの値であったが、ステップＳ１９６では、直前に使用された変数を、ソリッドブラック表示領域５６とグレー表示領域５８とで交換する処理が行われる。すなわち、次のステップＳ１２０では、ソリッドブラック表示領域５６はＸｇｙの値にて表示がなされ、次のステップＳ１３０では、グレー表示領域５８はＸｓｂの値にて表示がなされることになる。
【００５７】
したがって、もし、直前の状態が図７（ａ）のごとくの表示であった場合には、次は図７（ｂ）のごとくの表示に変わる。なお、ステップＳ１７０の処理によりＸｇｙは少しずつ増加しているので、Ｘｇｙの値で表示している表示領域は、次第に明度が上昇するような入力値の値の設定が行われる。ただし、通常はブラックポイントＢＰよりも小さい入力値での増加であるので、実際に目で見て明度の上昇があるとは限らない。
【００５８】
次にステップＳ１９６の処理がなされると、ソリッドブラック表示領域５６とグレー表示領域５８とで使用変数を交換する処理が行われるので、次のステップＳ１２０では、ソリッドブラック表示領域５６はＸｓｂの値にて表示がなされ、ステップＳ１３０では、グレー表示領域５８はＸｇｙの値にて表示がなされることになる。すなわち、図７（ａ）の状態に戻る。ただしＸｇｙはα分増加されている。
【００５９】
以後、ステップＳ１９６が実行される度に、ソリッドブラック表示領域５６とグレー表示領域５８との使用変数が交換される。すなわち、本実施の形態３では、グレー表示領域５８の明度を暗から明へ変化させる際に、周期的に、ソリッドブラック表示領域５６とグレー表示領域５８との明度関係が入れ替わるようにされているので、ソリッドブラック表示領域５６とグレー表示領域５８との境界が常に強調され、ソリッドブラック表示領域５６とグレー表示領域５８との差が判り易くなり、一層精度の高いブラックポイントＢＰの検出が可能となる。
【００６０】
なお、グレー表示領域５８であるキャラクタ「ＯＫ」の文字は、ほとんどが１／７２〜１／４インチの幅になっている。またその内でも部分的には１／３６〜１／８インチの幅となっている。また、ソリッドブラック表示領域５６もキャラクタ「ＯＫ」に囲まれている部分には１／７２〜１／４インチの幅となっている部分および１／３６〜１／８インチの幅となっている部分が存在する。このことによって、更に精度の高いブラックポイントＢＰを求めることができる。
【００６１】
本実施の形態３において、ステップＳ１００が表示領域設定手段としての処理に該当し、ステップＳ１１０，Ｓ１２０，Ｓ１９６がソリッドブラック表示領域制御手段としての処理に該当し、ステップＳ１１０，Ｓ１３０，Ｓ１７０，Ｓ１９６がグレー表示領域制御手段としての処理に該当する。
【００６２】
（第４実施形態）
本実施の形態４は、実施の形態１とはモニタキャリブレーション処理のみが異なる。本実施の形態４のモニタキャリブレーション処理を図８に示す。図８に示す処理の内、ステップＳ１００，Ｓ１１０，Ｓ１１２の処理と、ステップＳ１８０，Ｓ１９０からの戻り先がステップＳ１１２である点が実施の形態１とは異なる。なお、ステップＳ１２０，Ｓ１３０は表示領域名が異なるが、実質的内容は実施の形態１のステップＳ１２０，Ｓ１３０と同じである。
【００６３】
まず、ステップＳ１００では図９に示すごとくの、第１グレー表示領域６０および第２グレー表示領域６２を設定する。次に、変数Ｘｇｙのみに０が設定される（Ｓ１１０）。次に、このＸｇｙの値を用いて、次式１のごとく変数Ｘｓｂが求められる（Ｓ１１２）。
【００６４】
【数１】
2006048062.tif 000003
【００６５】
ｆ（ｘ）は所定の処理を表し、例えば、次のような式２や式３による処理が挙げられる。
【００６６】
【数２】
2006048062.tif 000004
【００６７】
次に、ステップＳ１１２で求められたＸｓｂを用いて第１グレー表示領域６０が表示され（Ｓ１２０）、次にＸｇｙを用いて第２グレー表示領域６２が表示される（Ｓ１３０）。更に、ステップＳ１４０の次に、ステップＳ１５０で「ＮＯ」と判定されると、次に、Ｘｇｙがα分増加され（Ｓ１７０）、ステップＳ１８０で「ＮＯ」と判定されると、次にステップＳ１１２に戻る。
【００６８】
このことにより、直前のステップＳ１７０にてアルファ分増加されたＸｇｙに基づいて前記式１の関係からＸｓｂが求められる（Ｓ１１２）。以後、ステップＳ１５０にて「ＹＥＳ」、あるいはステップＳ１８０にて「ＹＥＳ」と判定されない間は、Ｘｇｙがα分ずつ増加するとともに、例えば、式２でＸｓｂが算出されているとすると、Ｘｓｂはα／２ずつ増加することになる。
【００６９】
このことは、ディスプレイ３２上に、明度に差がある第１グレー表示領域６０と第２グレー表示領域６２とを隣接して設けて、第１グレー表示領域６０と第２グレー表示領域６２との明度を、その間の明度の差を維持（式３の場合）または大きく（式２の場合）しつつ暗から明へ変化させるように入力値を増加させることにより、ユーザにブラックポイントＢＰを検出させることを意味する。
【００７０】
このように、本実施の形態４は、ソリッドブラック表示領域を用いずに、明度の異なるグレー表示領域６０，６２のみを用いて、両者の明度の差を維持または大きくしつつ暗から明に明度を上昇させてブラックポイントＢＰを求めていることから、おそらく、全体が動的に明度変化することにより、実際の画像表示に用いられるブラックポイントＢＰとして適切な値が得られ、一層、精度の高いブラックポイントＢＰの検出が可能となると考えられる。
【００７１】
本実施の形態４において、ステップＳ１００が表示領域設定手段としての処理に該当し、ステップＳ１２０が第１グレー表示領域制御手段としての処理に該当し、ステップＳ１３０が第２グレー表示領域制御手段としての処理に該当し、ステップＳ１１２，Ｓ１７０が表示出力制御手段としての処理に該当する。
【００７２】
（その他の実施形態）
前記実施の形態１では縞状のソリッドブラック表示領域５２およびグレー表示領域５４の設定は、縦方向の縞であったが、横方向の縞であっても良い。前記各実施の形態では、入力値を増加させる方向のモニタキャリブレーション処理で説明したが、入力値を減少させる方向のモニタキャリブレーション処理にて実行しても良い。その場合、ステップＳ２００にてＸｇｙをそのままブラックポイントＢＰに設定すれば良い。なお、αの値が十分に小さければ、入力値を増加させる方向でも、ステップＳ２００はＸｇｙをそのままブラックポイントＢＰに設定する処理としても、実質的に問題はない。
【００７３】
前記実施の形態３，４において、図７あるいは図９に示す表示領域を用いて、モニタキャリブレーションが行われたが、図７，９の代りに、図１０（ａ）でも良い。この場合、星形が第２グレー表示領域（グレー表示領域）６６であり、星形の周囲が第１グレー表示領域（ソリッドブラック表示領域）６４である。この逆に、星形が第１グレー表示領域（ソリッドブラック表示領域）６４で、星形の周囲が第２グレー表示領域（グレー表示領域）６６であっても良い。
【００７４】
実施の形態１，２では、図４（ａ）〜（ｃ）に示した縞状の表示領域を用いたが、図４（ａ）〜（ｃ）の代りに、図１０（ｂ）に示すごとく特定の図形（ここでは星形）を縞状に分割したものでも良い。この場合、星形がグレー表示領域７０であり、星形の周囲がソリッドブラック表示領域６８である。この逆に、星形の周囲がグレー表示領域７０で、星形がソリッドブラック表示領域６８であっても良い。
【００７５】
また、実施の形態１〜４にて入力値を増加させるステップ値としての所定量αを、図１１に示すごとく表示領域７２と共に表示したスライダ７４にマウスカーソルを合わせて、ドラッグにてスライダ７４を左右に移動させることにより、スライダ７４の位置に応じた値に設定しても良い。
【００７６】
また、図１１に示すごとく、前進（Ｎｅｘｔ）ボタン７６および後退（Ｂａｃｋ）ボタン７８のボタンを設けて、それらのボタン７６，７８にマウスカーソルを合わせて、クリックにて、モニタキャリブレーション処理の実行を制御しても良い。例えば、図３のモニタキャリブレーション処理において、ステップＳ１５０で「ＮＯ」と判定された後、マウス入力装置３８からの入力を判断し、前進（Ｎｅｘｔ）ボタン７６が押された場合には、αはプラスの値としてステップＳ１７０を実行し、後退（Ｂａｃｋ）ボタン７８が押された時はαはマイナスの値としてステップＳ１７０を実行する。このことにより、グレー表示領域５４の入力値を大きくしていったり、あるいは小さくしていったりすることが、マウス入力装置３８の操作のみで可能となる。なお、この場合には、変数Ｘｇｙはマイナス値とならないように、ガードをかける。
【００７７】
また、図１１において、「Ｏｋ」ボタン８０がクリックされれば、図３のステップＳ１５０にて「ＹＥＳ」と判定される。また、キャンセル（Ｃａｎｃｅｌ）ボタン８２は、モニタキャリブレーション処理を直ちに停止させるためである。
【図面の簡単な説明】
【００７８】
【図１】本発明の実施の形態１としてのパソコンとプリンタとを接続した状態の説明図である。
【図２】その概略ブロック図である。
【図３】実施の形態１におけるモニタキャリブレーション処理のフローチャートである。
【図４】実施の形態１で用いられる表示領域の構成説明図である。
【図５】実施の形態２におけるモニタキャリブレーション処理のフローチャートである。
【図６】実施の形態３におけるモニタキャリブレーション処理のフローチャートである。
【図７】実施の形態３で用いられる表示領域の構成説明図である。
【図８】実施の形態４におけるモニタキャリブレーション処理のフローチャートである。
【図９】実施の形態４で用いられる表示領域の構成説明図である。
【図１０】他の表示領域の構成説明図である。
【図１１】他の表示領域の構成説明図である。
【図１２】モニタ特性説明図である。
【図１３】従来の表示領域説明図である。
【符号の説明】
【００７９】
２…インクジェット型プリンタ      ４…パソコン
６，８…パラレルインターフェース
１０…ＩＥＥＥ１２８４用ケーブル    ２４…ＣＰＵ    ２６…ＲＯＭ
２８…ＲＡＭ    ３０…補助記憶装置    ３２…ディスプレイ
３２ａ…ステータスモニター表示部    ３４…キーボード
３６…マウスインターフェース    ３８…マウス入力装置
５２…ソリッドブラック表示領域    ５４…グレー表示領域
５６…ソリッドブラック表示領域    ５８…グレー表示領域
６０…第１グレー表示領域    ６２…第２グレー表示領域
６４…第１グレー表示領域（ソリッドブラック表示領域）
６６…第２グレー表示領域（グレー表示領域）
７２…表示領域    ７４…スライダ    ７６…前進（Ｎｅｘｔ）ボタン
７８…後退（Ｂａｃｋ）ボタン    ８０…「Ｏｋ」ボタン
８２…キャンセル（Ｃａｎｃｅｌ）ボタン    ＢＰ…ブラックポイント
【図１】
2006048062.tif 000005
【図２】
2006048062.tif 000006
【図３】
2006048062.tif 000007
【図４】
2006048062.tif 000008
【図５】
2006048062.tif 000009
【図６】
2006048062.tif 000010
【図７】
2006048062.tif 000011
【図８】
2006048062.tif 000012
【図９】
2006048062.tif 000013
【図１０】
2006048062.tif 000014
【図１１】
2006048062.tif 000015
【図１２】
2006048062.tif 000016
【図１３】
2006048062.tif 000017